(57)【要約】【課題】電子ブックを便利で使いやすいものにする。【解決手段】電子ブックが、視覚ファイル内の視覚セグメントを、視覚セグメントに対応する音声ファイル内のそれぞれの文の開始部分に同期させることにより、ユーザが視覚から音声への切り換えを行った場合に音声が文の途中から開始することがなくなる。ビデオファイル内の視覚セグメントを、音声ファイル内のページの開始部分にリンクさせることができる。【選択図】図４
2010211807.tif 000002
【特許請求の範囲】
【請求項１】
ハウジングと、
前記ハウジング上に支持される視覚ディスプレイと、
前記ハウジング上に設けられた少なくとも１つの音声出力装置と、
前記ハウジング内に存在し、前記視覚ディスプレイ及び音声出力装置と通信するデジタルプロセッサと、
前記ハウジング内に存在し、前記プロセッサがアクセスできるタンジブルコンピュータリーダ記憶媒体と、
を含む電子ブックであって、前記媒体には、前記プロセッサの制御下でブック情報を表示するための電子ブックファイルが記憶され、前記プロセッサは、
音声ファイル及び視覚ファイルの両方を同時に再生するためのユーザ選択を受信するステップを含むロジックを実行し、両ファイルは電子ブックに関連するものであり、前記音声ファイル及び視覚ファイルの一方が第１のファイルを設定し、前記音声ファイル及び視覚ファイルの他方が第２のファイルを設定し、ユーザは前記音声ファイルを聴きながら前記視覚ファイルを読むことができ、
前記第１のファイルが該第１のファイル内でブックマークの制御を保持することにより、前記ユーザが前記第２のファイル内で前方へスキップした場合、前記第１のファイルが、該第１のファイル内の、前記第２のファイルで「スキップ」信号を受信したときに再生されている位置にブックマークを保持するようになる、
ことを特徴とする電子ブック。
【請求項２】
前記音声ファイルが、デフォルトで前記第１のファイルとなるように設定される、
ことを特徴とする請求項１に記載の電子ブック。
【請求項３】
いずれのファイルを前記ブックマークの制御を保持する前記第１のファイルとするかを選択するための選択肢がユーザに与えられる、
ことを特徴とする請求項１に記載の電子ブック。
【請求項４】
再生中の音声ファイルが、前記対応するビデオファイル内の前記ブックマークを制御する、
ことを特徴とする請求項１に記載の電子ブック。
【請求項５】
再生中のビデオファイルが、前記対応する音声ファイル内の前記ブックマークを制御する、
ことを特徴とする請求項１に記載の電子ブック。
【請求項６】
前記ユーザが、音声ファイルが終了したときに前記視覚ファイル内のブックマークするページ位置を選択することができる、
ことを特徴とする請求項１に記載の電子ブック。
【請求項７】
前記音声ファイル内の前記最後に話された単語に対応する前記視覚ファイル内の前記ページが、前記最後に話された単語を含むページである、
ことを特徴とする請求項１に記載の電子ブック。
【請求項８】
「ｎ」を整数とした場合、前記音声ファイル内の前記最後に話された単語に対応する前記視覚ファイル内の前記ページが、前記ビデオファイル内の、前記最後に話された単語を含む前記ページよりも「ｎ」ページ前のページである、
ことを特徴とする請求項１に記載の電子ブック。
【請求項９】
ハウジングと、
前記ハウジング上に支持される視覚ディスプレイと、
前記ハウジング上に設けられた少なくとも１つの音声出力装置と、
前記ハウジング内に存在し、前記視覚ディスプレイ及び音声出力装置と通信するデジタルプロセッサと、
前記ハウジング内に存在し、前記プロセッサがアクセスできるタンジブルコンピュータリーダ記憶媒体と、
を含む電子ブックであって、前記媒体には、前記プロセッサの制御下でブック情報を表示するための電子ブックファイルが記憶され、前記媒体は、前記視覚ファイル内の個々のテキストセグメントを、前記視覚ファイルの前記セグメント内のテキストを含む前記音声ファイル内の最も近い文の開始部分にインデックスすることにより、音声ファイルを関連する視覚ファイルに少なくとも部分的に同期させる、前記プロセッサがアクセスできるデータ構造を記憶し、前記視覚ファイル内の前記最初の「ｎ」個の単語を含むテキストセグメントが前記音声ファイル内の前記最初の文の前記開始部分にリンクされ、前記視覚ファイル内の前記次の（ｎからｍまで）の単語が前記音声ファイル内の次の文の開始部分にリンクされ、これにより前記視覚ファイル内の１つ１つの単語を前記音声ファイル内のそれぞれの一意の単語にリンクさせる必要はなくなるが、代わりに前記視覚ファイル内の単語のグループが、前記音声ファイル内の１つの場所にグループとしてリンクされるようになる、
ことを特徴とする電子ブック。
【請求項１０】
前記プロセッサが、
電子ブックを表示するためのフォーマットのユーザ選択を受信するステップと、
音声フォーマットの選択に応答して、選択された電子ブックに対応する音声ファイルを前記音声出力装置において再生し、前記選択された音声ファイルに対応する視覚ファイル内のブックマークを、前記音声ファイル内の最後に話された単語に対応する前記視覚ファイル内のページの最上部に設定するステップと、
視覚モードの選択に応答して、選択された電子ブックに対応する視覚ファイルからのテキストを前記ディスプレイ上に表示し、前記選択されたビデオファイルに対応する音声ファイル内のブックマークを、モードを変更するための又は電源を落とすための信号の受信時に前記ディスプレイ上に表示されていた前記視覚ファイルのテキストを含む前記音声ファイル内の文の開始部分に設定することにより、前記対応する音声ファイルが、前記電子ブックを前記音声フォーマットで起動した際に文の途中から続けて開始されないようにするステップと、
を含むロジックを実行する、
ことを特徴とする請求項９に記載の電子ブック。
【請求項１１】
再生中の音声ファイルが、前記対応するビデオファイル内の前記ブックマークを制御する、
ことを特徴とする請求項１０に記載の電子ブック。
【請求項１２】
再生中のビデオファイルが、前記対応する音声ファイル内の前記ブックマークを制御する、
ことを特徴とする請求項１０に記載の電子ブック。
【請求項１３】
前記ユーザが、音声ファイルが終了したときに前記視覚ファイル内のブックマークするページ位置を選択することができる、ことを特徴とする請求項１０に記載の電子ブック。
【請求項１４】
前記音声ファイル内の前記最後に話された単語に対応する前記視覚ファイル内の前記ページが、前記最後に話された単語を含むページである、
ことを特徴とする請求項１０に記載の電子ブック。
【請求項１５】
「ｎ」を整数とした場合、前記音声ファイル内の前記最後に話された単語に対応する前記視覚ファイル内の前記ページが、前記ビデオファイル内の、前記最後に話された単語を含む前記ページよりも「ｎ」ページ前のページである、
ことを特徴とする請求項１０に記載の電子ブック。
【請求項１６】
前記音声ファイルがアクティブである間にユーザが前記視覚ファイル内の題材をスキップした場合、前記音声ファイルが、前記音声ファイル内の、「スキップ」信号を受信したときに再生されている位置にブックマークを保持する、
ことを特徴とする請求項１０に記載の電子ブック。
【請求項１７】
ハウジングと、
前記ハウジング上に支持される視覚ディスプレイと、
前記ハウジング上に設けられた少なくとも１つの音声出力装置と、
前記ハウジング内に存在し、前記視覚ディスプレイ及び音声出力装置と通信するデジタルプロセッサと、
前記ハウジング内に存在し、前記プロセッサがアクセスできるタンジブルコンピュータリーダ記憶媒体と、
を含む電子ブックであって、前記媒体には、前記プロセッサの制御下でブック情報を表示するための電子ブックファイルが記憶され、視覚ファイル内の視覚セグメントが、ユーザが視覚モードから音声モードに切り換えた場合に前記音声モードが文の途中から開始しないように音声ファイル内の前記視覚セグメントに対応するそれぞれの文のそれぞれの開始部分に相関付けられ、前記音声ファイル内の個々のセグメントが前記視覚ファイル内のページの開始部分にリンクされることにより、前記ブックマークが対称性を持たないようになる、
ことを特徴とする電子ブック。
【請求項１８】
前記プロセッサが、
音声フォーマットの選択に応答して、選択された電子ブックに対応する音声ファイルを前記音声出力装置において再生し、前記選択された音声ファイルに対応する視覚ファイル内のブックマークを、前記音声ファイル内の最後に話された単語に対応する前記視覚ファイル内のページの最上部に設定するステップと、
視覚モードの選択に応答して、選択された電子ブックに対応する視覚ファイルからのテキストを前記ディスプレイ上に表示し、前記選択されたビデオファイルに対応する音声ファイル内のブックマークを、モードを変更するための又は電源を落とすための信号の受信時に前記ディスプレイ上に表示されていた前記視覚ファイルのテキストを含む前記音声ファイル内の文の開始部分に設定することにより、前記対応する音声ファイルが、前記電子ブックを前記音声フォーマットで起動した際に文の途中から続けて開始されないようにするステップと、
を含むロジックを実行する、
ことを特徴とする請求項１７に記載の電子ブック。
【請求項１９】
前記媒体には、前記プロセッサの制御下でブック情報を表示するための電子ブックファイルが記憶され、前記媒体は、前記視覚ファイル内の個々のテキストセグメントを、前記視覚ファイルの前記セグメント内のテキストを含む前記音声ファイル内の最も近い文の開始部分にインデックスすることにより、音声ファイルを関連する視覚ファイルに少なくとも部分的に同期させる、前記プロセッサがアクセスできるデータ構造を記憶し、前記視覚ファイル内の前記最初の「ｎ」個の単語を含むテキストセグメントが前記音声ファイル内の前記最初の文の前記開始部分にリンクされ、前記視覚ファイル内の前記次の（ｎからｍまで）の単語が前記音声ファイル内の次の文の開始部分にリンクされ、これにより前記視覚ファイル内の１つ１つの単語を前記音声ファイル内のそれぞれの一意の単語にリンクさせる必要はなくなるが、代わりに前記視覚ファイル内の単語のグループが、前記音声ファイル内の１つの場所にグループとしてリンクされるようになる、
ことを特徴とする請求項１７に記載の電子ブック。
【発明の詳細な説明】
【技術分野】
【０００１】
本発明は、一般に電子ブックに関する。
【背景技術】
【０００２】
小型で手持ち型のハウジング内の記憶媒体に記憶された電子ブックファイルを読むことができる電子ブックが提供されてきた。ハウジングのディスプレイにテキストが表示され、複数の電子ブックを記憶媒体に記憶することができる。このようにして、実際に、都合のよい時に単一の軽量な電子ブックのフォームファクタで読むための数多くのブックを伝送することができる。本明細書で認識するように、このような電子ブックをさらに便利で使いやすくすることができる。
【発明の概要】
【課題を解決するための手段】
【０００３】
電子ブックが、ハウジングと、ハウジング上に支持される視覚ディスプレイと、スピーカ又はヘッドホンジャックなどの、ハウジング上に設けられた１又はそれ以上の音声出力装置とを含む。ハウジング内にはデジタルプロセッサが存在して、視覚ディスプレイ及び音声出力装置と通信する。ハウジング内にはタンジブルコンピュータリーダ記憶媒体も存在し、プロセッサ又はユニバーサルシリアルバス（ＵＳＢ）インターフェイスなどの入力／出力インターフェイスがこれにアクセスできる。媒体には、プロセッサの制御下でブック情報を表示するための電子ブックファイルが記憶される。
【０００４】
プロセッサは、電子ブックを表示するためのフォーマットのユーザ選択を受信するステップと、音声フォーマットの選択に応答して、選択された電子ブックに対応する音声ファイルを音声出力装置において再生するステップと、選択された音声ファイルに対応する視覚ファイル内のブックマークを、音声ファイル内の最後に話された単語に対応する視覚ファイル内のページの最上部に設定するステップとを含むロジックを実行することができる。この一方で、視覚モードの選択に応答して、ロジックは、選択された電子ブックに対応する視覚ファイルからのテキストをディスプレイ上に表示するステップと、モードを変更するための又は電源を落とすための信号の受信時に、電子ブックを音声フォーマットで起動した際に、選択されたビデオファイルに対応する音声ファイル内のブックマークを、対応する音声ファイルが文の途中から続けて開始しないようにディスプレイ上に表示されていた視覚ファイルのテキストを含む音声ファイル内の文の開始部分に設定するステップとを含む。
【０００５】
実施形態例では、再生中の音声ファイルが、対応するビデオファイル内のブックマークを制御する。同様に、再生中のビデオファイルが、対応する音声ファイル内のブックマークを制御することができる。
【０００６】
いくつかの実施構成例では、ユーザが、音声ファイルが終了したときに視覚ファイル内のブックマークするページ位置を選択することができる。音声ファイル内の最後に話された単語に対応する視覚ファイル内のページを、最後に話された単語を含むページとすることができる。或いは、「ｎ」を整数とした場合、音声ファイル内の最後に話された単語に対応する視覚ファイル内のページを、最後に話された単語を含むビデオファイル内のページよりも「ｎ」ページ前のページとすることができる。
【０００７】
必要な場合、ユーザが音声ファイルを聴きながら視覚ファイルを読むときに、音声ファイル及び視覚ファイルの両方を同時に実行することができる。ブックマークの制御を音声ファイルに残して、ユーザが視覚ファイル内で前方へスキップした場合、音声ファイルが、音声ファイル内の、「スキップ」信号を受信したときに再生されている位置にブックマークを保持するようにすることができる。或いは、逆のブックマーク制御を設定することもでき、すなわち制御を視覚ファイルに残して、ユーザが音声ファイル内で前方へスキップした場合、視覚ファイルが、視覚ファイル内の、音声ファイル内で「スキップ」信号を受信したときに表示されている位置にブックマークを保持するようにすることもできる。両ファイルを同時に再生する場合、いずれのファイルがブックマーク制御を保持するかを選択する選択肢をユーザに与えることができる。
【０００８】
別の態様では、電子ブックが、ハウジングと、ハウジング上に支持される視覚ディスプレイと、ハウジング上の１又はそれ以上の音声出力装置とを含む。ハウジング内にはデジタルプロセッサが存在して視覚ディスプレイ及び音声出力装置と通信する。ハウジング内にはタンジブルコンピュータリーダ記憶媒体も存在し、プロセッサがこれにアクセスできる。媒体には、プロセッサの制御の下でブック情報を表示するための電子ブックファイルが記憶される。
【０００９】
媒体は、プロセッサがアクセスできるとともに、視覚ファイルのセグメント内のテキストを含む音声ファイル内の最も近い文の開始部分に視覚ファイル内の個々のテキストセグメントをインデックスすることにより、音声ファイルを関連する視覚ファイルに少なくとも部分的に同期させるデータ構造を記憶することができる。従って、視覚ファイル内の最初の「ｎ」個の単語を含むテキストセグメントが、音声ファイル内の最初の文の開始部分にリンクされ、視覚ファイル内の次の（ｎからｍまでの）単語が、音声ファイル内の次の文の開始部分にリンクされるなどのようになる。このように、視覚ファイル内の１つ１つの単語を音声ファイル内のそれぞれの一意の単語にリンクする必要はないが、代わりに視覚ファイル内の単語のグループが音声ファイル内の１つの場所にグループとしてリンクされる。
【００１０】
別の態様では、電子ブックが、ハウジングと、ハウジング上に支持される視覚ディスプレイと、ハウジング上の１又はそれ以上の音声出力装置とを含む。ハウジング内にはデジタルプロセッサが存在して視覚ディスプレイ及び音声出力装置と通信する。ハウジング内にはタンジブルコンピュータリーダ記憶媒体も存在し、プロセッサがこれにアクセスできる。媒体には、プロセッサの制御の下でブック情報を表示するための電子ブックファイルが記憶される。
【００１１】
この後者の態様では、視覚ファイル内の視覚セグメントが、ユーザが視覚モードから音声モードに切り換えた場合に音声モードが文の途中から開始しないように視覚セグメントに対応する音声ファイル内のそれぞれの文のそれぞれの開始部分に相関付けられる。この一方で、音声ファイル内の個々のセグメントは視覚ファイル内のページの開始部分にリンクされる。音声から視覚へのリンクのグループ化が視覚から音声へのリンクのグループ化とは異なり得ること、すなわちブックマークが必ずしも対称性を持たないことがこれで容易に理解できる。
【００１２】
同様の参照数字が同様の部分を示す添付図面を参照することにより、本発明の詳細をその構造及び動作の両方に関して最も良く理解することができる。
【図面の簡単な説明】
【００１３】
【図１】閉じた構成における電子ブック例の斜視図である。
【図２】開いた構成における図１の電子ブックを示す斜視図である。
【図３】プロセッサ、記憶媒体及びトランシーバを概略的に示す電子ブック例の斜視図である。
【図４】本原理によるロジック例である。
【図５】音声ファイルと視覚ファイルとを同期させるためのデータ構造例の概略図である。
【発明を実施するための形態】
【００１４】
最初に図１及び図２を参照すると、１つの実施形態において、書籍の開閉を再現するように折り畳み式の構成を有することができる電子ブック１０の例を示している。具体的には、電子ブック１０は、ヒンジ１６に沿って硬い軽量プラスチックの「バック」部材１４に接合された硬い軽量プラスチックの「カバー」部材１２を有し、「カバー」部材１２の電子ディスプレイ１８が閲覧のために露出する開いた構成（図２）と、ディスプレイ１８が「バック」部材１４の内面にぴったりくっついた状態にあるため露出しない閉じた構成（図１）との間で動かすことができる。必要であれば、キーボード及び／又はマウス、又はその他のカーソル制御／ポイント及びクリック装置のような入力装置２０を「バック」部材１４などに設けることができる。
【００１５】
図３は、図１及び図２のブック１０とは対照的に折り畳むことができない電子ブック２２の例を示しており、図１及び図２に示すブック１０は、図３に示す電子ブック２２の機能をブック１０の「カバー」部材１２などに組み込むことができると理解されたい。電子ブック２２は、電子ディスプレイ２６を有する軽量の携帯用プラスチックハウジング２４を含み、この電子ディスプレイ２６はタッチスクリーンディスプレイであってもよい。従って、必要であれば、ハウジング２４は、ディスプレイ２６がタッチスクリーンディスプレイである場合、そこに信号を入力するのに使用するための細長く硬い、一般にプラスチック製のスタイラスペン３０を、例えばハウジングの「頂部」及び「底部」に対してハウジング上に垂直に保持するためのプラスチッククリップなどの１又はそれ以上のスタイラスホルダ２８を含むことができる。限定的な意味ではないが、ディスプレイ２６は、液晶ディスプレイ（ＬＣＤ）、発光ダイオードディスプレイ（ＬＥＤ）、又はその他の適当な電子ディスプレイ技術であってもよい。
【００１６】
必要であれば、ハウジング２４に、キーボード３６のコード３４のコネクタを受け入れるためのキーボードコードレセプタクル３２を形成することができる。このようにして、必要に応じてキーボード３６をハウジング２４と選択的に係合及び解放して、ハウジング２４内のデジタルプロセッサ３８に信号を入力できるようにすることができる。さらにプロセッサ３８は、以下に限定されるわけではないが、ディスクベースの記憶装置及び／又は固体記憶装置などのタンジブルコンピュータリーダ記憶媒体４０にアクセスして本明細書の論理を実行することができる。
【００１７】
媒体４０に電子ブックファイルを記憶することもできる。ブックファイルの１又はそれ以上は、プロセッサ３８がディスプレイ２６上にテキストを表示すべく実行できる視覚ファイルと、プロセッサ３８が、視覚ファイルのテキストに相関付けられた単語を読む後述するスピーカ上に可聴音声を出力すべく実行できる音声ファイルとに分かれることができ、スピーカに読まれ音声ファイルに記録される単語が、視覚ファイルのテキストの単語と必ずしも全く同じである必要がないことを理解されたい。にも関わらず、以下でさらに説明するように、視覚ファイルは関連する音声ファイルと相互に相関付けられる。
【００１８】
本発明を限定しない実施形態例では、プロセッサ３８が、ディスプレイ２６を制御して、媒体４０に記憶されたタイトルのリスト、様々な機能をサポートするためのコマンド入力要素、媒体４０上のファイルから得られるブックテキスト、及びディスプレイ２６がタッチスクリーンディスプレイである場合、ユーザがスタイラスペン３０などを使用して英数字信号を入力できるようにするキーボードなどの入力装置の画像を含むユーザインターフェイスを表示することができる。
【００１９】
本発明を限定しないいくつかの実施形態では、プロセッサ３８が１又はそれ以上の無線トランシーバを使用して通信することができる。図３に示す実施形態では、プロセッサ３８が、長距離無線トランシーバ４２及び短距離無線トランシーバ４４を使用して通信する。限定的な意味ではないが、短距離トランシーバ４４は、Ｂｌｕｅｔｏｏｔｈトランシーバ又はその他の短距離高帯域トランシーバ技術であってもよく、長距離トランシーバ４２は、Ｗｉ−Ｆｉトランシーバ、又は超広帯域（ＵＷＢ）トランシーバ、又は無線電話トランシーバ、又はその他の適当なトランシーバであってもよい。
【００２０】
プロセッサ３８はまた、図示のようにハウジング２４上に設けられたスピーカ又はヘッドホンジャックなどの１又はそれ以上の音声出力装置４６を制御することもできる。
【００２１】
ここで図４を参照すると、音声ファイル及び視覚ファイルを含む電子ブックでは、視覚ファイル内のテキストセグメントを対応する音声ファイル内の文にインデックスすることにより、好ましくは視覚ファイル内の個々のテキストセグメントを、視覚ファイルのセグメント内のテキストを含む最も近い音声ファイルの文の開始部分にインデックスすることにより、２つの関連ファイルがブロック４８において同期される。このようにして、及び図５を参照すると、視覚ファイル内の最初の「ｎ」個の単語を含むテキストセグメント５０が、音声ファイル内の最初の文の開始部分５２にリンクされる。視覚ファイル内の次の（ｎからｍまでの）の単語５４は、音声ファイル内の次の文の開始部分５６にリンクされ、以下同様に続く。換言すれば、視覚ファイル内の１つ１つの単語を音声ファイル内のそれぞれの一意の単語にリンクさせる必要はないが、手短に開示すると、代わりに視覚ファイル内の単語のグループが、音声ファイル内の１つの場所（対応する文の頭）にグループとしてリンクされる。
【００２２】
図４に戻ると、いくつかの実施形態では、ブロック５８において、電子ブックが音声から視覚へのファイルリンクの優先権に関するユーザ選択を受信することができる。例えば、デフォルトの優先権を他の選択肢と共にディスプレイ２６上に表示することができる。デフォルトの優先権及びその他の選択肢の中には、音声ファイルのセグメントをグループ化すること、及びこれらのセグメントを視覚ファイル内の１つの位置、例えば視覚ファイル内の、視覚ファイルのページ上の単語の読みを含む音声セグメントに対応するページの最上部（又はページ全体を凝縮した音声レンダリングなどのその他の主題）に相関付けることがある。或いは、ユーザは、個々の音声ファイルセグメントを視覚ファイル内の前回のセクション、すなわち音声ファイルセグメントの単語（又は主題）を有するページよりも「ｎ」ページ前のページの開始部分に相関付けることを選択することもできる。或いは、個々の音声ファイルの文を、最後に閲覧された視覚ファイルのページ内の最初の完全な文の開始部分にリンクさせることもできる。これらの相関関係を、図５に示すデータ構造内に保持することもできる。いずれにせよ、音声ファイル内の１つ１つの単語を、視覚ファイル内のそれぞれの一意の単語にリンクさせる必要はないが、代わりに音声ファイル内の単語のグループを、視覚ファイル内の１つの場所（対応するページの頭）にグループとしてリンクさせることができる。
【００２３】
ブロック５８に示す別のユーザ選択は、音声及び視覚の両ファイルが再生のために同時に選択された場合、これらのいずれのファイルがブックマーク制御を保持するかを選択すること、すなわちユーザが音声ファイルを聴きながら関連する視覚ファイルを読めるようにすることであってもよい。従って、例えばユーザが「音声制御」を選択した場合（同様に「音声制御」がデフォルト設定である場合）、音声ファイルがブックマークの制御を音声ファイル内に保持することにより、ユーザが視覚ファイル内で前方へスキップした場合、音声ファイルが、音声ファイル内の、視覚ファイル内で（視覚ファイルの表示をページなどの所定の題材の量だけ前方又は後方へスキップさせる）「スキップ」信号を受信したときに再生されている位置にブックマークを保持するようになり、逆に「ビデオ制御」を選択した場合も同様である。或いは、スキップのイベント時にブックマークを保持しないことを選択するという選択肢をユーザに与えることもできる。
【００２４】
動作中、図４のブロック６０において、ユーザがブック及びフォーマット（音声又は視覚、或いは必要な場合「両方」という第３の選択）を選択する。この選択は、使用できるタイトルのリストをディスプレイ２６上に表示することにより容易にすることができ、タイトルが音声ファイル及び視覚ファイルの両方を含む場合、タイトルの選択に応じて、「音声」又は「視覚」又は「両方」を選択するためのプロンプトをディスプレイ２６上に表示することができる。
【００２５】
ブック及びフォーマットの選択を受信すると、判定区画６２は、音声ファイルの場合には、ブロック６４において音声出力装置４６上でファイルが再生されることを単純に示す。ブロック６６において、ユーザが、ディスプレイ２６上に表示できる「スキップ」セレクタ要素などを使用して音声ファイル内で前方又は後方へスキップした場合、音声ファイルは、音声ファイル内の、「スキップ」信号を受信したときに再生されている位置にブックマークを保持する。このようにして、ユーザがこの後電子ブックをオフにし、又は例えばユーザがページ内で位置がわからなくなった場合などに（ディスプレイ２６上の「バック」セレクタ要素などを使用して）その最後の位置へ戻ると決めた場合、音声ファイルの再生がこの最後の（ブックマークされた）位置から再開される。
【００２６】
ブックマークの制御は、例えばブックマークへ戻る目的のために設けられた電子ブック上のキーが操作されて「ブックマークへ戻る」機能が呼び出されるか、又は視覚ファイルのユーティリティが呼びだされるか、或いは電子ブックがオフ及びオンされるようなときまで音声ファイルに残すことができる。従って、ブロック６８において、電源を切る直前に（電子ブックをオフにすることなどにより）ブックマークへ戻る機能が呼び出された場合、ブックマークは、音声ファイルの最後に再生された文の開始部分に、及び音声ファイル内で最後に話された単語を含む視覚ファイル内のページの最上部などの、ユーザがブロック５８において選択した視覚ファイル内の位置に、又は視覚ファイル内の前回のセクション、すなわち音声ファイルの最後に話された単語を有するページよりも「ｎ」ページ前のページの開始部分に配置される。ブックマークが常に現在位置に存在するように、次の再通電中に音声ファイルの再生と共にブックマークを移動できることを理解されたい。或いは、ブックマークの位置を絶えず更新する必要はなく、電源遮断信号の受信時にのみ、この位置が適当な位置に移動される。
【００２７】
この一方で、視覚モードが選択された場合、ロジックは判定区画６２からブロック７０へ進み、視覚ファイルからのテキストをディスプレイ２６上に表示することにより視覚ファイルを再生する。ユーザは、当業で公知の原理を使用してテキストをスクロールし、視覚ファイルを読むことができる。ブロック７２において、ブックマークは、電源が落とされた時に音声ファイル内の正しいページ又は文に配置され、或いは上述の原理に従って音声ファイル内で絶えず更新される。図５に示すデータ構造を使用して、音声ファイル内の、電源が落とされた時に又はモードを音声に変更するための信号を受信した時にディスプレイ２６に表示されていた視覚ファイルのテキストを含む文（又はセクション）の開始部分にブックマークを配置することができる。従って、ブックマークは、必ずしも音声ファイル内の、視覚ファイルの最後に強調されていた又は表示されていた単語に対応する単語の部分に配置されるわけではなく、むしろこの単語が文中のどこに存在していたかに関わらず最後に表示されていた単語を含む音声ファイルの文の頭に配置される。
【００２８】
このようにして、視覚ファイルがブックマークを制御する場合、視覚ファイルが音声ファイル内の対応する文の頭にブックマークを移動できることにより、音声ファイルが単語の途中又は文の途中から開始するという煩わしさはなくなる。これとは逆に、音声ファイルがブックマークを制御する場合、視覚ファイル内におけるブックマークの配置の選択の幅は狭くなり、例えば前述したように、ブックマークは、最後に話された単語を含む視覚ファイルのページの開始部分、又はさらに数ページ前に配置される。
【００２９】
本明細書では、特定の「機能を拡張した電子ブック」を図示し、これについて詳細に説明したが、本発明に含まれる主題は特許請求の範囲によってのみ限定されることを理解されたい。
【図１】
2010211807.tif 000003
【図２】
2010211807.tif 000004
【図３】
2010211807.tif 000005
【図４】
2010211807.tif 000006
【図５】
2010211807.tif 000007
【外国語明細書】
2010211807.tif 000008
2010211807.tif 000009
2010211807.tif 000010
2010211807.tif 000011
2010211807.tif 000012
2010211807.tif 000013
2010211807.tif 000014
2010211807.tif 000015
2010211807.tif 000016
2010211807.tif 000017
2010211807.tif 000018
2010211807.tif 000019
2010211807.tif 000020
2010211807.tif 000021
2010211807.tif 000022
2010211807.tif 000023
2010211807.tif 000024
2010211807.tif 000025
2010211807.tif 000026
2010211807.tif 000027